(57)【特許請求の範囲】
【請求項１】
内部側に第一ロック手段を収容する外筒、及び、当該外筒内に回動可能に装着されて成り鍵の挿入部分に上記外筒内の上記第一ロック手段の少なくとも一部を収容する内筒に、外方から上記鍵の挿入部分を観察可能にする開口を設け、上記外筒側の上記開口付近に当該開口から上記内筒側の開口を通して上記鍵の挿入部分を撮影するセンサを設置し、更に、上記センサが撮影する画像情報と所要の比較画像情報との一致の有無を判断する一致判断手段と、上記センサが撮影する画像情報に正規の鍵の画像情報が含まれて上記所要の比較画像情報と一致する場合に解錠する第二ロック手段と、上記センサが撮影する画像情報が上記所要の比較画像情報と相違する場合にアラームを出力するアラーム手段とを備え、上記外筒、内筒、第一ロック手段、センサ、一致判断手段、第二ロック手段にて施錠機構を構成していることを特徴とする施錠装置。
【請求項２】
内部側に第一ロック手段を収容する外筒、及び、当該外筒内に回動可能に装着されて成り鍵の挿入部分に上記外筒内の上記第一ロック手段の少なくとも一部を収容する内筒に、左右両側の外方から上記鍵の挿入部分を観察可能にする開口を設け、上記外筒側の上記左右の開口付近に当該各開口から上記内筒側の開口を通して上記鍵の挿入部分を撮影するセンサを設置し、更に、上記双方のセンサが撮影する各画像情報と所要の比較画像情報との一致の有無を個別に判断する一致判断手段と、上記双方のセンサが撮影する各画像情報に正規の鍵の画像情報が含まれて上記所要の比較画像情報と一致する場合に解錠する第二ロック手段と、上記双方のセンサが撮影する各画像情報が上記所要の比較画像情報と相違する場合にアラームを出力するアラーム手段とを備え、上記外筒、内筒、第一ロック手段、センサ、一致判断手段、第二ロック手段にて施錠機構を構成していることを特徴とする施錠装置。
【請求項３】
遠隔操作手段からの遠隔操作信号を受信する遠隔操作信号受信手段と、遠隔操作信号受信手段が受信した遠隔操作信号の内容を識別してドアと建物との間にロックを掛けるロック機構を施錠側に作動させるとともに上記第二ロック手段を施錠させ、あるいは当該ロック機構を解錠側に作動させるとともに上記第二ロック手段を解錠させる施錠・解錠作動手段とを更に備えることを特徴とする請求項１または２記載の施錠装置。
【請求項４】
遠隔操作手段からの遠隔操作信号を受信する遠隔操作信号受信手段と、上記遠隔操作信号が解錠を指示する信号である場合に正規の鍵の主要部の構成に一致する構成を有する解錠鍵部を正規の鍵の挿入方向とは逆の方向から上記内筒の鍵の挿入部分内へ進入させる第一ロック解除手段と、上記センサが撮影する各画像情報に上記解錠鍵部の画像情報が含まれて所要の比較画像情報と一致する場合に上記第二ロック手段を解錠する第二ロック解除手段とを更に備えることを特徴とする請求項１または２記載の施錠装置。
【請求項５】
上記アラーム手段は、アラームを出力する場合にアンテナから異常通報の無線信号を送信させる上記施錠機構側に構成された無線送信ユニットと、上記施錠機構とは別体のハウジング内に構成されて上記無線信号を受信する無線受信ユニットと、上記無線受信ユニットが上記無線信号を受信した場合にアラームを出力する上記別体のハウジングに構成されたアラーム出力部とを含んで構成されることを特徴とする請求項１乃至４の何れか記載の施錠装置。
【請求項６】
上記無線送信ユニットと上記無線受信ユニットとの各アンテナを建物内部側に設置し、上記無線受信ユニット側に有線で接続される上記アラーム出力部を建物のドア付近における建物外部側に設置したことを特徴とする請求項５記載の施錠装置。
【請求項７】
上記アラーム手段は、アラームを出力する場合に建物の管理室のセキュリティ管理装置、またはセキュリティ管理会社のセキュリティ管理装置に異常通報の情報を出力することを特徴とする請求項１乃至６の何れか記載の施錠装置。
【請求項８】
上記アラーム手段は、時間計数手段の起動で、上記センサからの画像情報と上記所要の比較画像情報との不一致が続く時間があらかじめ設定した所定時間に達しないことが判定される間はアラームを出力しないことを特徴とする請求項１乃至７の何れか記載の施錠装置。
【請求項９】
上記施錠装置の上記各手段及び各ユニットは、建物内部側におけるノブ、または当該ノブ付近に配設したソーラーバッテリからの電力で駆動することを特徴とする請求項１乃至８の何れか記載の施錠装置。
【請求項１０】
上記施錠装置の上記各手段及び各ユニットは、建物内部側におけるノブ、または当該ノブ付近に配設した電池からの電力で駆動することを特徴とする請求項１乃至８の何れか記載の施錠装置。
【請求項１１】
更に、室内側からの操作で所要の暗証番号を入力できる暗証番号入力手段と、上記暗証番号入力手段に正規の暗証番号が入力された場合にドアと建物との間にロックを掛けるロック機構の室内側からの解錠操作を可能ならしめ、正規の暗証番号以外の不正番号が入力された場合には当該解錠操作を禁止した状態を継続する解錠操作禁止手段とを備えたことを特徴とする請求項１乃至１０の何れか記載の施錠装置。
【請求項１２】
更に、室内側からの操作で所要の暗証番号を入力できる暗証番号入力手段と、上記暗証番号入力手段に正規の暗証番号が入力された場合にドアと建物との間にロックを掛けるロック機構を解錠側に作動させ、正規の暗証番号以外の不正番号が入力された場合には当該ロック機構の施錠状態を継続する解錠動作実行手段とを備えたことを特徴とする請求項１乃至１０の何れか記載の施錠装置。
【請求項１３】
更に、上記遠隔操作手段に暗証番号入力手段、及び当該暗証番号入力手段に入力された番号に対応する無線番号信号を出力する無線番号信号出力手段を設け、上記内筒及び外筒側に無線番号信号の内容を識別する番号信号識別手段を設けるとともに、当該番号信号識別手段が正規の暗証番号の入力を識別した場合にドアと建物との間にロックを掛けるロック機構を解錠側に作動させ、正規の暗証番号以外の不正番号の入力を識別した場合には当該ロック機構の施錠状態を継続する解錠動作実行手段とを備えたことを特徴とする請求項３または４記載の施錠装置。
【請求項１４】
上記暗証番号入力手段または上記解除動作実行手段は、正規の暗証番号以外の不正番号が続けて所定回数以上入力された場合には、所定時間の間、暗証番号の入力及び解錠操作を一切受け付けない構成を備えることを特徴とする請求項１２または１３記載の施錠装置。
【請求項１５】
上記暗証番号入力手段は、正規の暗証番号以外の不正番号が続けて所定回数以上入力された場合に上記アラーム手段を起動させる構成を備えることを特徴とする請求項１１乃至１４の何れか記載の施錠装置。
【請求項１６】
上記解除動作実行手段は、正規の暗証番号以外の不正番号が続けて所定回数以上入力された場合に上記アラーム手段を起動させる構成を備えることを特徴とする請求項１２乃至１４の何れか記載の施錠装置。
【請求項１７】
更に、警報音の発生、警報煙の噴出、臭気の噴出、催涙性ガスの噴出、照明設備の点滅の全てを同時にもしくはそれらの少なくとも一つを制御作動させる警報手段を設ける構成を備えることを特徴とする請求項１乃至１６の何れか記載の施錠装置。
【請求項１８】
自動車におけるエンジン始動錠に付設され、不正解錠時にはエンジン始動回路を開成させるエンジン始動阻害手段を備えるか、正規鍵による操作であることを認識する上記センサにより出力される制御信号によってエンジン始動回路を閉成させるエンジン始動回路閉成手段を備えるかすることを特徴とする請求項１乃至５の何れか記載の施錠装置。
【発明の詳細な説明】
【０００１】
【発明の属する技術分野】
本発明は、居住用、自動車用等のピッキング対策の構成を備える施錠装置に関し、詳しくは解錠しようとして挿入された鍵の画像情報が正規の鍵の画像情報と一致したときに解錠できる施錠装置に関するものである。
【０００２】
【従来の技術】
施錠装置としては、シリンダー錠が一般に広く普及されており、シリンダー錠には、ピンタンブラー錠、ディスクタンブラー錠、マグネットシリンダー錠等が知られている。ピンタンブラー錠は、板鍵を用いて内筒と外筒に跨る複数のピンを鍵の凹凸で押し上げてピンとシリンダの結合を外し、シリンダを回転させて本締めボルトを動かし施錠、解錠するものであり、ディスクタンブラー錠は、内筒の回転を複数の板で阻止し、鍵を差し込むと鍵の凹凸により各板が内筒内に収まり解錠することを可能にするものであり、マグネットシリンダー錠は、内筒の回転を阻止するピンの磁石と鍵に埋め込まれた磁石との反発でピンが押し上げられ解錠することが可能となるものである。
【０００３】
例えばピンタンブラー錠は、図２３に示すように、外筒１内に回動可能である内筒２を装着し、外筒１内にコイルバネ３で吊るされて上下移動が可能となるピン４，５，６，７，８を鍵９の進入方向に所定間隔を経て直列に配列し、かつ各ピン４，５，６，７，８の先端側を内筒２における鍵９の進入路内へ突出させた構成のものである。各ピン４，５，６，７，８は、内筒２内に鍵９が挿入されると、鍵９の一側辺、即ち図２３では鍵９の挿入に対し上側の一側辺に形成された凹凸に接触することにより、各々のピン４，５，６，７，８が当該凹凸に押されて内筒２内への突出深さが変更される。各ピン４，５，６，７，８にはシャーライン（ピンを分割したライン）１０が形成されており、内筒２内への鍵９の挿入で各ピン４，５，６，７，８のシャーライン１０が外筒１と内筒２の境界位置に一致する位置に停止すると、鍵９の回動とともに内筒２の回動が可能となり、内筒２が所定角度まで回動すると解錠することができる。
【０００４】
【発明が解決しようとする課題】
ところで、近年では、都市部や地方において建物の施錠をピッキングにより解錠することによる窃盗事件が多発している。ピッキングによる犯行は国内に広く普及するシリンダー錠の構造や特徴を熟知した上で行われており、短時間で解錠していることに特徴がある。上述した従来の技術による施錠装置ではドアノブに視覚できる鍵穴から内筒２に突出するピンを操作することが容易でありピッキングによる解錠を阻止することができず、このためピッキング対策の施された施錠装置の開発が広く要望されている。
【０００５】
本発明は、ピッキングによる解錠を阻止することができるとともに、不法侵入者による解錠操作が執拗に繰り返される場合にアラームを発して周囲に不正な解錠操作が行われていることを知らしめて安全性を向上できることを目的とし、また住居における出入り口等の施錠のみならず、自動車におけるドアの施錠、更には不正なエンジン始動鍵（エンジンキー）による操作時のエンジン始動の防止にも使用可能な施錠装置を提供しようとするものである。
【０００６】
【課題を解決するための手段】
上述した課題を解決するため、本発明にあっては、内部側に第一ロック手段３６，３７，３８，３９，４０を収容する外筒３２、及び、当該外筒３２内に回動可能に装着されて成り鍵の挿入部分に上記外筒３２内の上記第一ロック手段３６，３７，３８，３９，４０の少なくとも一部を収容する内筒３３に、外方から上記鍵の挿入部分を観察可能にする開口６１，６３を設け、上記外筒３２側の上記開口６１付近に当該開口６１から上記内筒３３側の開口６３を通して上記鍵の挿入部分を撮影するセンサ７１を設置し、更に、上記センサ７１が撮影する画像情報と所要の比較画像情報との一致の有無を判断する一致判断手段８１，８３，８４，８５と、上記センサ７１が撮影する画像情報に正規の鍵の画像情報が含まれて上記所要の比較画像情報と一致する場合に解錠する第二ロック手段４３，４４，４５と、上記センサ７１が撮影する画像情報が上記所要の比較画像情報と相違する場合にアラームを出力するアラーム手段８６，８８，９２，９３，９４，９５とを備え、上記外筒３２、内筒３３、第一ロック手段３６，３７，３８，３９，４０、センサ７１、一致判断手段８１，８３，８４，８５、第二ロック手段４３，４４，４５にて施錠機構を構成しているものである。
また、本発明にあっては、内部側に第一ロック手段３６，３７，３８，３９，４０を収容する外筒３２、及び、当該外筒３２内に回動可能に装着されて成り鍵の挿入部分に上記外筒３２内の上記第一ロック手段３６，３７，３８，３９，４０の少なくとも一部を収容する内筒３３に、左右両側の外方から上記鍵の挿入部分を観察可能にする開口６１，６２，６３，６４を設け、上記外筒３２側の上記左右の開口６１，６２付近に当該各開口６１，６２から上記内筒３３側の開口６３，６４を通して上記鍵の挿入部分を撮影するセンサ７１，７２を設置し、更に、上記双方のセンサ７１，７２が撮影する各画像情報と所要の比較画像情報との一致の有無を個別に判断する一致判断手段８１，８２，８３，８４，８５と、上記双方のセンサ７１，７２が撮影する各画像情報に正規の鍵の画像情報が含まれて上記所要の比較画像情報と一致する場合に解錠する第二ロック手段４３，４４，４５と、上記双方のセンサ７１，７２が撮影する各画像情報が上記所要の比較画像情報と相違する場合にアラームを出力するアラーム手段８６，８８，９２，９３，９４，９５とを備え、上記外筒３２、内筒３３、第一ロック手段３６，３７，３８，３９，４０、センサ７１，７２、一致判断手段８１，８２，８３，８４，８５、第二ロック手段４３，４４，４５にて施錠機構を構成しているものである。
また、本発明にあっては、遠隔操作手段からの遠隔操作信号を受信する遠隔操作信号受信手段１０１と、遠隔操作信号受信手段１０１が受信した遠隔操作信号の内容を識別してドアと建物との間にロックを掛けるロック機構を施錠側に作動させるとともに上記第二ロック手段４３，４４，４５を施錠させ、あるいは当該ロック機構を解錠側に作動させるとともに上記第二ロック手段４３，４４，４５を解錠させる施錠・解錠作動手段１０４とを更に備えるものである。
また、本発明にあっては、遠隔操作手段からの遠隔操作信号を受信する遠隔操作信号受信手段１０１と、上記遠隔操作信号が解錠を指示する信号である場合に正規の鍵の主要部の構成に一致する構成を有する解錠鍵部２０３を正規の鍵の挿入方向とは逆の方向から上記内筒３３の鍵の挿入部分内へ進入させる第一ロック解除手段２０２と、上記センサ７１，７２が撮影する各画像情報に上記解錠鍵部２０３の画像情報が含まれて所要の比較画像情報と一致する場合に上記第二ロック手段４３，４４，４５を解錠する第二ロック解除手段８７とを更に備えることも好ましい。
上記アラーム手段は、アラームを出力する場合にアンテナ８８から異常通報の無線信号を送信させる上記施錠機構側に構成された無線送信ユニット８６と、上記施錠機構とは別体のハウジング９１内に構成されて上記無線信号を受信する無線受信ユニット９３と、上記無線受信ユニット９３が上記無線信号を受信した場合にアラームを出力する上記別体のハウジング９１に構成されたアラーム出力部９５とを含んで構成されるものである。
上記無線送信ユニット８６と上記無線受信ユニット９３との各アンテナ８８，９２を建物内部側に設置し、上記無線受信ユニット９３側に有線で接続される上記アラーム出力部９５を建物のドア付近における建物外部側に設置することも好ましい。
上記アラーム手段は、アラームを出力する場合に建物の管理室のセキュリティ管理装置９７、またはセキュリティ管理会社のセキュリティ管理装置に異常通報の情報を出力するものである。
上記アラーム手段は、時間計数手段の起動で、上記センサ７１，７２からの画像情報と上記所要の比較画像情報との不一致が続く時間があらかじめ設定した所定時間に達しないことが判定される間はアラームを出力しないことも好ましい。  上記施錠装置の上記各手段８１，８２，８３，８４，８５，８６及び各ユニット９３，９４，９５は、ソーラーバッテリ８９，９８からの電力で駆動するものである。
上記施錠装置の上記各手段８１，８２，８３，８４，８５，８６及び各ユニット９３，９４，９５は、電池からの電力で駆動させても良い。
上記ソーラーバッテリ８９，９８または上記電池を、建物内部側におけるノブ３１、または当該ノブ３１付近に配設することも好ましい。
また、本発明にあっては、更に、室内側からの操作で所要の暗証番号を入力できる暗証番号入力手段４０１と、上記暗証番号入力手段４０１に正規の暗証番号が入力された場合にドアと建物との間にロックを掛けるロック機構の室内側からの解錠操作を可能ならしめ、正規の暗証番号以外の不正番号が入力された場合には当該解錠操作を禁止した状態を継続する解錠操作禁止手段４０２とを備えるものである。
また一方、本発明にあっては、更に、室内側からの操作で所要の暗証番号を入力できる暗証番号入力手段４０１と、上記暗証番号入力手段４０１に正規の暗証番号が入力された場合にドアと建物との間にロックを掛けるロック機構を解錠側に作動させ、正規の暗証番号以外の不正番号が入力された場合には当該ロック機構の施錠状態を継続する解錠動作実行手段５０１とを備えるものである。
また一方、本発明にあっては、更に、上記遠隔操作手段に暗証番号入力手段、及び当該暗証番号入力手段に入力された番号に対応する無線番号信号を出力する無線番号信号出力手段を設け、上記内筒３３及び外筒３２側に無線番号信号の内容を識別する番号信号識別手段６０１を設けるとともに、当該番号信号識別手段６０１が正規の暗証番号の入力を識別した場合にドアと建物との間にロックを掛けるロック機構を解錠側に作動させ、正規の暗証番号以外の不正番号の入力を識別した場合には当該ロック機構の施錠状態を継続する解錠動作実行手段６０２を備えるものである。
上記暗証番号入力手段４０１または解錠動作実行手段５０１，６０２は、正規の暗証番号以外の不正番号が続けて所定回数以上入力された場合には、所定時間の間、暗証番号の入力及び解錠操作を一切受け付けない構成を備える。
上記暗証番号入力手段４０１または解錠動作実行手段５０１，６０２は、正規の暗証番号以外の不正番号が続けて所定回数以上入力された場合に上記アラーム手段８６，９３，９４，９５を起動させる構成を備える。
また、警報音の発生、警報煙の噴出、臭気の噴出、催涙性ガスの噴出、照明設備の点滅の全てを同時にもしくはそれらの少なくとも一つを制御作動させる警報手段６０３，６０５を設ける構成とできる。
更に自動車における不正解錠によるドアの不正開放時の警告、不正開放の阻止をも可能にし、特にエンジンの不正始動を阻止するように、エンジンの不正始動時には警報を発するものとし、また、自動車におけるエンジン始動錠６１０に付設され、不正解錠時にはエンジン始動回路を開成させるエンジン始動阻害手段６１２を備えるか、正規鍵による操作であることを認識する上記センサ７１，７２により出力される制御信号によってエンジン始動回路を閉成させるエンジン始動回路閉成手段６１３を備えるかする構成とできる。
【０００７】
以上のように構成された本発明に係る施錠装置にあっては、外筒３２及び内筒３３に形成された開口６１，６３の外側に設置した一つのセンサ７１が、当該開口６１，６３から内筒３３の鍵の挿入部分の領域を常時撮影して画像情報が生成される。そしてこの画像情報とあらかじめ用意されている所要の比較画像情報とが繰り返し比較されて、一致判断手段８１，８３，８４，８５により双方の画像情報及び比較画像情報が一致するか否かが判断されており、内筒３３に正規の鍵を挿入したことで前者の画像情報に正規の鍵の画像情報が含まれて後者の所要の比較画像情報と一致することが判定された場合は第二ロック手段４３，４４，４５を解錠して本施錠装置の解錠を可能にするが、内筒３３に正規の鍵以外の物体が挿入されたことで前者の画像情報に乱れが生じ後者の比較画像情報と一致しないことが判定された場合はアラーム手段８６，９３，９４，９５からアラームを出力してピッキングを防止する。
また、本発明に係る施錠装置にあっては、外筒３２及び内筒３３の左右両側に形成された各開口６１，６２，６３，６４の外側に設置した左右二つのセンサ７１，７２が、当該開口６１，６２，６３，６４から内筒３３の鍵の挿入部分の領域を左右両側から常時撮影して二種の画像情報が生成される。そしてこの二種の画像情報とあらかじめ用意されている所要の各比較画像情報とが個別に繰り返し比較されて、一致判断手段８１，８２，８３，８４，８５により二種の画像情報と各比較画像情報が一致するか否かが判断される。内筒３３に正規の鍵を挿入したことで前者の各画像情報に正規の鍵の画像情報が含まれて後者の所要の各比較画像情報と一致することが判定された場合は第二ロック手段４３，４４，４５を解錠して本施錠装置の解錠を可能にするが、内筒３３に正規の鍵以外の物体が挿入されたことで前者の二種の画像情報に乱れが生じ後者の各比較画像情報と一致しないことが判定された場合はアラーム手段８６，９３，９４，９５からアラームを出力してピッキングを防止する。
また、本発明に係る施錠装置にあっては、遠隔操作手段から遠隔操作信号が出力されると、遠隔操作信号受信手段１０１を経て施錠・解錠作動手段１０４が遠隔操作信号の内容を識別し、施錠を指示する内容であることを識別した場合はドアと建物との間にロックを掛けるロック機構を施錠側に作動させるとともに第二ロック手段４３，４４，４５を施錠させるが、解錠を指示する内容であることを識別した場合は当該ロック機構を解錠側に作動させるとともに第二ロック手段４３，４４，４５をも解錠させ、これにより本施錠装置の解錠を可能にする。
また、本発明に係る施錠装置にあっては、遠隔操作手段から遠隔操作信号が出力されると、当該遠隔操作信号が解錠を指示する信号である場合には第一ロック解除手段２０２が正規の鍵の主要部の構成に一致する構成を有する解錠鍵部２０３を正規の鍵の挿入方向とは逆の方向から上記内筒３３の鍵の挿入部分内へ進入させ、一致判断手段８１，８２，８３，８４，８５によりその領域を撮影して得られる画像情報と所要の比較画像情報との一致を判断させ、確かに一致が判断された場合に、第二ロック解除手段８７により第二ロック手段４３，４４，４５を解錠させる。
一方、上記アラーム手段８６，９３，９４，９５は、無線送信ユニット８６の起動によりアンテナ８８から異常通報の無線信号を送信させ、上記施錠機構とは別体のハウジング９１内に構成されている上記無線受信ユニット９３が上記無線信号を受信し、無線受信ユニット９３を経てアラーム出力部９５からアラームを出力させる。
上記無線送信ユニット８６と上記無線受信ユニット９３との各アンテナ８８，９２を建物内部側に設置し、上記無線受信ユニット９３側に有線で接続される上記アラーム出力部９５を建物のドア付近における建物外部側に設置した場合、無線信号の送信と受信は建物内部で行われ、アラームの出力のみ建物外部で行われるため、違法者による破壊を防止するのに都合が良い。
上記アラーム手段８６，９３，９４，９５は、アラームを出力する場合に建物の管理室のセキュリティ管理装置９７、またはセキュリティ管理会社のセキュリティ管理装置に異常通報の情報を出力するため、ピッキング現場に対し速やかに対応することができる。
上記アラーム手段８６，９３，９４，９５は、時間計数手段の起動で、上記センサ７１，７２からの画像情報と上記所要の比較画像情報との不一致が続く時間があらかじめ設定した所定時間に達しないことが判定される間はアラームを出力しないため、お年寄りや手を怪我した人等が本施錠装置の解錠に手間取ったとしても不要なアラームを出力させてしまうことを回避することができる。
上記施錠装置の上記各手段８１，８２，８３，８４，８５及び各ユニット８６，９３は、ソーラーバッテリ８９，９８からの電力で駆動するため、使用に際し便利である。
上記施錠装置の上記各手段８１，８２，８３，８４，８５及び各ユニット８６，９３は、電池からの電力で駆動するため、本施錠装置の周囲が暗い環境であったとしても問題なく使用できる。
上記ソーラーバッテリ８９，９８または上記電池を、建物内部側におけるノブ３１、または当該ノブ３１付近に配設するため、違法者の破壊から逃れることができる。
また、本発明に係る施錠装置にあっては、暗証番号入力手段４０１に正規の暗証番号を入力すると、解錠操作禁止手段４０２の起動によりドアと建物との間にロックを掛けるロック機構の室内側からの解錠操作が可能となり、正規の暗証番号以外の不正番号を入力すると、解錠操作禁止手段４０２により当該解錠操作を禁止した状態が継続される。従って建物の窓等から不法侵入した違法者がドアから退出することを目論んでも正規の暗証番号を入力することは実質上不可能であり、本施錠装置を解錠することはできず、逃げることができないものとなる。
また一方、本発明に係る施錠装置にあっては、暗証番号入力手段４０１に正規の暗証番号を入力すると、解錠動作実行手段５０１の起動によりドアと建物との間にロックを掛けるロック機構を解錠側に作動させドアを開けられる状態となり、正規の暗証番号以外の不正番号を入力すると、解錠動作実行手段５０１により当該ロック機構の施錠状態が継続される。従って建物の窓等から不法侵入した違法者がドアから退出することを目論んでも正規の暗証番号を入力することは実質上不可能であり、本施錠装置を解錠することはできず、逃げることができないものとなる。
また一方、本発明に係る施錠装置にあっては、遠隔操作手段の暗証番号入力手段の操作で正規の暗証番号を入力すると、無線番号信号出力手段から正規の暗証番号を示す無線番号信号が出力されて、上記内筒３３及び外筒３２側の番号信号識別手段６０１に受信される。そして番号信号識別手段６０１が無線番号信号の内容を識別し、正規の暗証番号であれば解錠動作実行手段６０２によりドアと建物との間にロックを掛けるロック機構を解錠側に作動させ、正規の暗証番号以外の不正番号であれば解錠動作実行手段６０２により当該ロック機構の施錠状態を継続させる。従って建物の窓等から不法侵入した違法者がドアから退出することを目論んでも正規の暗証番号を入力することは実質上不可能であり、本施錠装置を解錠することはできず、逃げることができないものとなる。
上記暗証番号入力手段４０１または上記解除動作実行手段５０１，６０２は、正規の暗証番号以外の不正番号が続けて所定回数以上入力された場合には、所定時間の間、暗証番号の入力及び解錠操作を一切受け付けない。従って正規の暗証番号に一致する番号を入力させてしまう可能性を完全になくしてしまうことができるとともに、不法侵入した違法者が正規の暗証番号を長い時間をかけて探っている間に居住者等が帰ってきて違法者を捕まえるという可能性も生じてくる。
上記暗証番号入力手段４０１または上記解除動作実行手段５０１，６０２は、正規の暗証番号以外の不正番号が続けて所定回数以上入力された場合に上記アラーム手段８６，９３，９４，９５を起動させるため、アラームを発しつつ、不法侵入の現場に信頼できる人物を向わせることができ、不法侵入の違法者を現行犯として捕らえることが可能となる。
警報手段６０３，６０５の制御作動は、警報音の発生、警報煙の噴出、臭気の噴出、催涙性ガスの噴出、照明設備の点滅の少なくとも一つを行わせ、居住者更には周囲の者に対する五感のいずれかによる注意を喚起させ、警告させると共に、不法侵入者等をも威嚇させる。
更に自動車におけるエンジン始動錠６１０等に付設されることで、エンジン始動阻害手段６１２は不正なエンジン錠の操作時にはエンジンの不正始動等を阻止し、また、センサ７１，７２によって正規鍵であることを認識したときだけ、エンジン始動回路閉成手段６１３によってエンジン始動回路を閉成させ、自動車の盗難を防止させる。
【０００８】
【発明の実施の形態】
以下、図１乃至図７を参照して本発明の第一の実施の形態を説明するに、本発明を構成する施錠機構は、外筒３２、内筒３３、第一ロック手段３６，３７，３８，３９，４０、センサ７１，７２、一致判断手段８１，８２，８３，８４，８５、第二ロック手段４３，４４，４５にて構成されている。図１において符号２１は図示しないドアノブ内に構成された内筒３３の一部、即ち外観上から視認できる内筒３３の外表面側を示したものであり、鍵穴３４が形成されている。尚、内筒３３は、図示しないドアに図示しないドアノブとともに配設される図示しないドアノブ固定板（化粧板）に構成される場合、あるいは図示しないドア内に直に装着される場合もあるが、本実施の形態の場合はドアノブ内にピンタンブラー錠が構成された場合を例に説明することにする。
【０００９】
図２及び図３に示すように、本実施の形態のピンタンブラー錠は、ドアノブ３１内に構成されているもので、外筒３２内に回動可能である内筒３３を装着し、外筒３２内にコイルバネ３５で吊るされて上下移動が可能となる第一ロック手段としてのピン３６，３７，３８，３９，４０を正規の鍵５１の進入方向に所定間隔を経て直列に配列し、かつ各ピン３６，３７，３８，３９，４０の先端側を内筒３３における正規の鍵５１の進入路内へ突出させて構成されている。
【００１０】
内筒３３内に正規の鍵５１が挿入されると、各ピン３６，３７，３８，３９，４０は、鍵５１の一側辺に形成された凹凸に接触することにより、当該凹凸に押されて内筒３３内への突出深さが変更され、かつ図３に示すように、各ピン３６，３７，３８，３９，４０のシャーライン４１が外筒３２と内筒３３の境界位置に一致する位置に停止する。尚、図示していないが、各ピン３６，３７，３８，３９，４０にはマスター鍵用のシャーラインを構成しても良い。一方、外筒３２におけるピン４０の隣の位置、つまり正規の鍵５１の進入路の終点側の隣の位置には、第二ロック手段としてのピン４３がコイルバネ４４に支持されて吊るされており、先端側が内筒３３内に突出している。ピン４３は、例えばコイルバネ４４の上方の位置に設置されている電磁石４５が起動すると、この電磁石４５の磁気に引き寄せられて内筒３３外の位置へと上方移動し、これにより第二ロックを解除する。
【００１１】
一方、外筒３２の左右両側、及び内筒３３の左右両側には、図２に示すように、正規の鍵５１の進入路を観察可能にするための左右側方から互いに重なり得る開口６１，６２，６３，６４が形成されており、外筒３２の左右両側の開口６１，６２の外側で当該開口６１，６２の例えば中心付近には内筒３３における開口６３，６４を通して内筒３３内の正規の鍵５１の進入路の領域を外筒３２の各ピン３６，３７，３８，３９，４０の突出端側とともに撮影するセンサ７１，７２が配設されている。センサ７１，７２には例えばＣＣＤカメラとともに光源を利用する場合を考えることができるが、赤外線カメラを用いても良い。
【００１２】
図１に示すように、本施錠装置には、一致判断手段を構成する特徴抽出部８１，８２、照合部８３、比較画像メモリ８４、及び一致判断部８５が備えられている。センサ７１が開口６１，６３を通して図示右側から正規の鍵５１の進入路を撮影したことで得られる画像情報は特徴抽出部８１に入力され、センサ７１が開口６２，６４を通して図示左側から正規の鍵５１の進入路を撮影したことで得られる画像情報は特徴抽出部８２に入力される。特徴抽出部８１，８２は、センサ７１，７２から入力される画像情報を一時記憶し、例えば濃度、輝度、コントラスト等の変化点（エッジ）を抽出することにより画像情報の特徴量を抽出する。本実施の形態の場合、画像情報の特徴量は例えば各ピン３６，３７，３８，３９，４０の輪郭、及び、内筒３３における正規の鍵５１の進入路内に進入する物体（正規の鍵５１を含む）の輪郭、更に当該物体（正規の鍵を含む）の側面（センサ７１，７２からは正面となる）の模様を例えば変化する連続線として把握する。特徴抽出部８１，８２は、センサ７１，７２が撮影した画像情報の特徴量の情報を照合部８３に出力すると、再びセンサ７１，７２からの画像情報を取り込み上述の特徴量の抽出処理を繰り返す。
【００１３】
照合部８３は、特徴抽出部８１，８２から出力された各特徴量の情報と比較画像メモリ８４内に記憶されている複数の比較画像情報の特徴量の情報とを順次に照合して、照合結果の情報を一致判断部８５へ出力する。比較画像メモリ８４内に記憶される比較画像情報の特徴量の情報としては、第一に内筒３３における正規の鍵５１の進入路に正規の鍵５１も他の物体も何も挿入されていない状態の比較画像情報の特徴量の情報、第二に内筒３３における正規の鍵５１の進入路の進入限界位置まで正規の鍵５１が挿入された状態の比較画像情報の特徴量の情報、第三に必要に応じて内筒３３における正規の鍵５１の進入路の進入限界位置までマスター鍵が挿入された状態の比較画像情報の特徴量の情報がある。
【００１４】
一致判断部８５は、照合部８３が特徴抽出部８１，８２から出力された各特徴量の情報と比較画像メモリ８４内に記憶されている比較画像情報の特徴量の情報とを照合した結果として、照合部８３から照合結果の情報が入力された場合に、両者の特徴量の情報の一致度を検出し、両者の特徴量の情報が一致するか否かを判定する。一致判断部８５は、両者の特徴量の情報が一致する場合には照合部８３に対し同一の照合を繰り返す旨の信号を出力し、照合部８３に同一の照合を繰り返し実行させる。また一致判断部８５は、一致度の判定の結果、センサ７１，７２からの画像情報の特徴量の情報が上述の第二の比較画像情報の特徴量（正規の鍵５１の挿入を含む画像情報の特徴量）の情報に一致すると判定した場合には、第二ロック解除手段としての第二ロック解除部８７に対し起動命令の信号を出力し、これにより第二ロック解除部８７から内筒３３の電磁石４５に対し電流を流させ第二ロック手段としてのピン４３を内筒３３から退却させ第二ロックを解錠させる。
【００１５】
また、詳しくは図示しないが、本施錠装置におけるドアと建物との間にロックを掛けるロック機構（図示せず）が建物内部からの操作部（例えば建物内部側のドアノブ等に装着された施錠、解錠を操作する操作部）の操作により施錠側に作動されたことで、当該ロック機構に構成した例えばリレー接点やスイッチ等からの施錠を示す施錠信号が第二ロック解除部８７に出力された場合、第二ロック解除部８７の起動により内筒３３の電磁石４５に流れる電流は遮断され、これによりコイルバネ４４の反発力が有効に働きピン４３が内筒３３内へと伸長移動し、内筒３３に第二ロックが掛けられるものとなる。また逆に、本施錠装置におけるドアと建物との間にロックを掛けるロック機構（図示せず；施錠機構に含まれる）が建物内部からの操作部（例えば建物内部側のドアノブ等に装着された施錠、解錠を操作する操作部）の操作により解錠側に作動されたことで、当該ロック機構に構成した例えばリレー接点やスイッチ等からの解錠を示す解錠信号が第二ロック解除部８７に出力された場合、第二ロック解除部８７の起動により内筒３３の電磁石４５に電流が流され、この電磁石４５の磁力によりピン４３が内筒３３外へと上方移動し、内筒３３の第二ロックが解錠されるものとなる。
【００１６】
尚、センサ７１，７２からの画像情報の特徴量の情報が上述の第二の比較画像情報の特徴量と一致する場合には、その正規の鍵５１の挿入により第一ロック手段である各ピン３６，３７，３８，３９，４０のシャーライン４１が外筒３２と内筒３３の境界位置に一致するため解錠の第一段階の準備は整っていることになり、続いて第二ロック解除部８７の起動により電磁石４５に電流が流れてピン４３が内筒３３から退却すると本施錠装置は解錠することが可能となる。
【００１７】
然し、一致判断部８５は、両者の特徴量の情報が一致しないことを判定した場合（例えば一致度が所定値よりも低い場合等）には、照合部８３に対し比較画像メモリ８４から別の比較画像情報の特徴量の情報（例えば前回まで上述の第一の比較画像情報の特徴量の情報で一致していた場合、第二、第三の比較画像情報の特徴量の情報）との照合を行わせる旨の信号を出力して、照合部８３に別の照合を実行させ、しかる上で例えば時間計数手段としてのタイマ（図示せず）の所定の計数時間（例えば３秒、５秒、１０秒等）が経過しても上述の第一乃至第三の比較画像情報の特徴量の何れとも一致しない場合はピッキングと判断して無線送信ユニット８６に対し異常通報（アラーム等）の出力命令の信号を出力する。無線送信ユニット８６は、異常通報の出力命令の信号が入力されると、アンテナ８８から例えば異常通報の無線信号を出力する。
【００１８】
尚、上述したセンサ７１，７２、光源、特徴抽出部８１，８２、照合部８３、比較画像メモリ８４、一致判断部８５、無線送信ユニット８６、及び第二ロック解除部８７、電磁石４５は、電源としてのソーラーバッテリ８９からの電力で駆動するものであるが、電池を使用しても良い。
【００１９】
図４及び図５に示すように、ソーラーバッテリ８９は、例えば建物のドアにおける外部側のドアノブ３１を支持するとともに当該ドアへの取り付け板ともなる化粧板４９の外表面側において上方の位置に装着する場合を考えることができるが、建物内部側のドアノブの化粧板の外表面側に埋め込む如く装着しても良い。また無線送信ユニット８６のアンテナ８８も、建物の外部側のドアノブ３１を支持する化粧板４９の外表面側に装着する場合を考えることができるが、建物内部側のドアノブの化粧板の外表面側に埋め込む如く装着しても良い。尚、ソーラーバッテリ８９の異常等により電力の供給が許容最低電力を下回るか遮断される場合には、一致判断部８５から第二ロック解除部８７に対し起動信号を出力させて第二ロック手段を解除するようにすることも好ましい態様である。勿論、この場合、第二ロック手段の解除に加えてドアと建物との間にロックを掛けるロック機構をも解錠するように構成しても良い。
【００２０】
一方、図６及び図７に示すように、本施錠機構とは別体のハウジング９１にはアラーム手段を構成するアンテナ９２、無線受信ユニット９３、受信判断部９４、及びアラーム出力部９５が備えられている。このハウジング９１はドア付近における建物の例えば壁に対し室内側、または外界側に設置されるか、あるいは例えばドア自体の室内側、または外界側等に設置されるもので、アンテナ９２はハウジング９１の外表面側の一部に配設されており、無線送信ユニット８６からの異常通報の無線信号を無線受信ユニット９３に受信させる。受信判断部９４は無線受信ユニット９３に異常通報の無線信号が受信されるか否かの判断を行っており、当該無線信号が受信されたことを判断した場合は、アラーム出力部（例えばスピーカ）９５に対し鳴動信号を出力して当該アラーム出力部９５からアラームを出力させるとともに、インターフェイス９６を経由して建物の管理室におけるセキュリティ管理装置９７、あるいはセキュリティ管理会社の図示しないセキュリティ管理装置に異常通報の情報を出力する。この場合の異常通報の情報には情報種別として異常発生を示す情報、及び住所、建物名、部屋番号、居住者氏名、電話番号等を示す情報が含まれるものであり、これらの情報が建物の管理室におけるセキュリティ管理装置９７のディスプレイ、あるいはセキュリティ管理会社のセキュリティ管理装置のディスプレイに画像表示されるものとなる。但し、異常通報の情報には異常を知らせる音声信号や、アラームを出力させるアラーム信号等が含まれても良い。
【００２１】
無線受信ユニット９３、受信判断部９４、及びアラーム出力部９５には、ハウジング９１の外表面側に設置されたソーラーバッテリー９８からの電力が供給されるものであるが、勿論、電池を使用しても良く、あるいは建物内部のコンセントに接続される電源線を用いても良い。また無線送信ユニット８６と無線受信ユニット９３との各アンテナ８８，９２は建物内部側に設置し、無線受信ユニット９３側に有線で接続したアラーム出力部９５のみを建物のドア付近における外部側に設置することも好ましい態様である。一方、ハウジング９１を建物の外部側に配設する場合、ハウジング９１を比較的厚い金属で構成するとともに所定間隔毎に縦方向の複数の金属補強板を備えると、ピッキングを行う違法者により破壊されてしまうことを防止するのに都合が良い。
【００２２】
次に、本実施の形態の使用の一例を説明すると、先ず、例えばドア内側のドアノブにあるロック部を押してドアを閉めるか、あるいはドアを閉めた状態で建物外方からドアノブ３１の鍵穴３４に正規の鍵５１を挿入してロックを掛け、かつ鍵穴３４から正規の鍵５１を抜くと、本施錠装置が施錠される。前者の場合、センサ７１，７２から得られる画像情報は施錠前の状態と変化がなく、従って一致判断手段としての構成においても同一画像情報（正規の鍵５１の進入路に物体の挿入がない状態の画像情報）と第一の比較画像情報の特徴量の情報との比較が繰り返し行われており、このような繰り返しにより双方の一致が検出される状態であると、異常の発生はないと判断される。
【００２３】
また後者の場合も、単に鍵穴３４に正規の鍵５１を挿入した瞬間に一致判断手段としての構成により第二の比較画像情報の特徴量の情報と一致することが検出された後、ドアにロックを掛けるため正規の鍵５１の回動とともに内筒３を一方向に回動させ、かつ正規の鍵５１の反転回動とともに内筒３３を逆方向に回動させてから正規の鍵５１を鍵穴３４から引き抜くまでの間に必要とする時間は通常数秒の間の僅かな時間であり、従って、この時間内においてはタイマの所定の時間計数の許容範囲内であり鍵５１の回動により第一乃至第三の比較画像情報の特徴量の情報との比較のうち全ての比較が繰り返し一致しないとしても異常の発生と判断されることはない。
【００２４】
尚、ドアを閉めた状態で建物外方からドアノブ３１の鍵穴３４に正規の鍵５１を挿入して鍵５１を施錠方向に回動させると、本施錠装置におけるドアと建物との間にロックを掛けるロック機構が内筒３３の回動とともに作動して、ドアと建物との間にロックが掛けられるが、この場合、当該ロック機構に構成した例えばリレー接点やスイッチ等からの施錠信号が第二ロック解除部８７に出力されて、第二ロック解除部８７の起動により内筒３３の電磁石４５に流れる電流が遮断される。電磁石４５に流れる電流が遮断されると、コイルバネ４４の反発力が有効に働くとともにピン４３の自重でピン４３が内筒３３内へと伸長移動し、内筒３３に第二ロックが掛けられるものとなる。
【００２５】
施錠装置が施錠された後、ドア外側のドアノブ３１の鍵穴３４に正規の鍵５１が挿入され、当該鍵５１の一側辺に構成されている凹凸が内筒３３内に突出する各ピン３６，３７，３８，３９，４０の先端側を押し上げてゆくとともに、当該鍵５１の先端が挿入限界の位置に達して各ピン３６，３７，３８，３９，４０のシャーライン４１が外筒３２と内筒３３との境界位置に一致すると、一致判断手段としての構成、即ち先ず特徴抽出部８１，８２が各センサ７１，７２からの画像情報の特徴量を抽出し、照合部８３が各センサ７１，７２からの画像情報の特徴量の情報と比較画像メモリ８４内の第一乃至第三の比較画像情報の特徴量の情報とを照合し、しかる時に、一致判断部８５が照合部８３の照合結果から各センサ７１，７２からの画像情報の特徴量の情報と比較画像メモリ８４内の第二の比較画像情報の特徴量の情報とが一致することを判定するとともに、第二ロック解除部８７に対し起動命令の信号を出力し、これにより第二ロック解除部８７から内筒３３の電磁石４５に対し電流を流させ第二ロック手段としてのピン４３を内筒３３から退却させ第二ロックを解錠させる。
【００２６】
この状態に達すると、正規の鍵５１とともに内筒３３を解錠する方向に回動させることが可能となり、当該鍵５１の回動開始の瞬間から、一旦、各センサ７１，７２からの画像情報の特徴量の情報と比較画像メモリ８４内の第一乃至第三の比較画像情報の特徴量の情報とが何れも一致しなくなるが、既に施錠装置の解錠が決定されているため、タイマが起動することもなく仮に鍵５１の操作に多くの時間を費やしたとしてもアラームが出力されることはない。
【００２７】
一方、施錠装置が施錠された後、ドア外側のドアノブ３１の鍵穴３４に正規の鍵５１及びマスター鍵以外の何らかの物体が挿入されるピッキングが行われた場合、各センサ７１，７２から得られる画像情報に変化が生じ、この結果、一致判断部８５がセンサ７１，７２からの画像情報の特徴量と比較画像メモリ８４内の第一の比較画像情報の特徴量とが不一致になったことを判定し、タイマを起動させるとともに、照合部８３に対しセンサ７１，７２からの画像情報の特徴量と比較画像メモリ８４内の第二、第三の比較画像情報の特徴量とを比較させる旨の信号を出力する。このためセンサ７１，７２からの画像情報の特徴量と比較画像メモリ８４内の第二、第三の比較画像情報の特徴量とが順次に比較され、また第一の比較画像情報の特徴量とも順次に比較されることになるが、タイマが例えば５秒を計数したことで許容範囲時間を越えても双方の特徴量の情報が一致しない場合、ピッキングと判断し一致判断部８５から無線送信ユニット８６に対し異常通報の出力命令の信号が出力される。このため無線送信ユニット８６は、アンテナ８８から異常通報の無線信号を出力する。
【００２８】
無線送信ユニット８６のアンテナ８８から異常通報の無線信号が出力された場合、当該無線信号は本施錠装置とは別体であり建物の例えば壁に設置されたハウジング９１側のアンテナ９２を通してハウジング９１内の無線受信ユニット９３に受信され、かつ受信判断部９４により異常通報の無線信号が受信されたことが判断される。そして受信判断部９４から、先ずアラーム出力部９５に対し鳴動信号が出力されて当該アラーム出力部９５からアラームが出力されるとともに、インターフェイス９６を経由して建物の管理室におけるセキュリティ管理装置９７、あるいはセキュリティ管理会社の図示しないセキュリティ管理装置に対し異常通報の情報が出力され、当該セキュリティ管理装置９７等のディスプレイに異常発生を示す情報、及び住所、建物名、部屋番号、居住者氏名、電話番号等を示す情報が表示される。これにより建物の管理者、あるいはセキュリティ管理会社の職員がピッキング現場へ直行することが可能となる。
【００２９】
次に、図８乃至図１０を参照して本発明の第二の実施の形態を説明する。尚、図８において図１に示す部分と同一部分には同一符号を付して詳しい説明は省略する。本実施の形態の場合、図９及び図１０に示すように、遠隔操作手段としての図示しないリモコン等からの遠隔操作信号を受信する遠隔操作信号受信手段としての遠隔信号受信部１０１が例えばドア（図示せず）の建物内部側に配設されるドアノブ１０２を支持するとともに当該ドアへの取り付け板ともなる化粧板１０３の外表面側において上方の位置に装着されている。この遠隔信号受信部１０１は、遠隔操作信号を受信した場合に、遠隔操作信号の内容を施錠・解錠作動手段としての施錠・解錠作動部１０４に対し出力する。施錠・解錠作動部１０４は、遠隔操作信号の内容が施錠を指示するものであるか、解錠を指示するものであるかを識別し、前者の指示を識別した場合は本施錠装置におけるドアと建物との間にロックを掛けるロック機構（図示せず）に配設された電動モータに対し当該ロック機構を施錠側に作動させる方向に回転する向きの電流を与えるとともに、第二ロック解除部８７に対し起動命令の信号を出力して第二ロック手段としての電磁石４５への電流を遮断させ、これによりピン４３を内筒３３内へ突出させる。また施錠・解錠作動部１０４は、後者の指示を識別した場合は上記電動モータに対し当該ロック機構を解錠側に作動させる方向に回転する向きの電流を与えるとともに、第二ロック手段としての電磁石４５へ電流を流させ、これによりピン４３を内筒３３から退却させる。
【００３０】
尚、遠隔信号受信部１０１は、図１０に示すように、建物内部側のドアノブ１０２において建物内部側からの施錠操作を行うための略円柱状の操作部１０５の先端側に構成しても良く、あるいはドア自体に装着しても良い。
【００３１】
次に、本実施の形態の使用の一例を説明すると、先ず例えば玄関ドア（本実施の形態の構成を備えるドア）から建物内部側に離れた位置においてリモコン等を操作して施錠を意図する遠隔操作信号をドアノブ１０２の化粧板１０３に装着されている遠隔信号受信部１０１に向けて出力した場合、遠隔信号受信部１０１が当該遠隔操作信号を受信して当該遠隔操作信号の内容を施錠・解錠作動部１０４に対し出力する。施錠・解錠作動部１０４が遠隔操作信号の内容が施錠を指示する内容であることを識別すると、施錠・解錠作動部１０４から玄関ドアと建物との間にロックを掛ける本施錠装置のロック機構（図示せず）の電動モータに対し当該ロック機構を施錠する方向に回転させる向きの電流が与えられるとともに、第二ロック手段としての電磁石４５への電流が遮断されてピン４３が内筒３３内へ突出し第二ロックが施錠される。
【００３２】
一方、リモコン等を操作して解錠を意図する遠隔操作信号をドアノブ１０２の化粧板１０３に装着されている遠隔信号受信部１０１に向けて出力した場合、遠隔信号受信部１０１が当該遠隔操作信号の内容を施錠・解錠作動部１０４に対し出力し、施錠・解錠作動部１０４が遠隔操作信号の内容が解錠を指示する内容であることを識別すると、施錠・解錠作動部１０４から玄関ドアと建物との間にロックを掛ける本施錠装置のロック機構（図示せず）の電動モータに対し当該ロック機構を解錠する方向に回転させる向きの電流が与えられるとともに、第二ロック手段としての電磁石４５に電流が流されピン４３が内筒３３から退却し、玄関ドアを開けることが可能となる。
【００３３】
次に、図１１乃至図１３を参照して本発明の第三の実施の形態を説明する。尚、図１１において図８に示す部分と同一部分には同一符号を付して詳しい説明は省略する。本実施の形態の場合、遠隔信号受信部１０１が遠隔操作信号を受信した場合、施錠・解錠作動手段としての施錠・解錠作動部２０１に対し当該遠隔操作信号の内容が入力される。施錠・解錠作動部２０１は、遠隔操作信号の内容が施錠を指示するものであるか、解錠を指示するものであるかを識別し、前者の指示を識別した場合は、本施錠装置におけるドアと建物との間にロックを掛けるロック機構（図示せず）に配設された電動モータに対し当該ロック機構を施錠側に作動させる方向に回転させる向きの電流を与え当該ロック機構を施錠するとともに、第二ロック解除部８７に対し起動命令の信号を出力して第二ロック手段としての電磁石４５への電流を遮断させ、これによりピン４３を内筒３３内へ突出させ第二ロックをも施錠する。また施錠・解錠作動部１０４は、後者の指示を識別した場合は、第一ロック解除部２０２に対し起動命令の信号を出力する。
【００３４】
第一ロック解除部２０２は、図１２に示すように、図示しないドアの室内側及び外界側に装着される双方のドアノブ（図示せず）内、及び当該双方のドアノブ間に構成される本施錠装置内の領域であって、本施錠装置の内筒３３の正規の鍵５１の進入路の終点側より更に奥の領域に正規の鍵５１の内筒３３内へ挿入させる部分（主要部）の形状、構成と等しい形状、構成を有する解錠鍵部２０３を配設し、この解錠鍵部２０３の図示上側の一辺側の凹凸とは反対側である図示下側の一辺側に直線状に並ぶギヤ部２０４を形成し、図示しないガイド部で当該解錠鍵部２０３をガイドしつつギヤ部２０４を図示しない第一電気モータの回転ギヤ２０５と噛み合わせ、更に、詳しく図示しないが、解錠鍵部２０３を第一電気モータの起動で内筒３３内へ進入させた後に、第二電気モータの起動で当該進入後の解錠鍵部２０３及び内筒３３を解錠方向へ回動させて本施錠装置を解錠させ、かつ第二電気モータの逆の起動で内筒３３を元の位置に戻してから第一電気モータの逆の起動で解錠鍵部２０３を内筒３３の奥の領域における元の位置に退却させるという構成を備えている。尚、解錠鍵部２０３の内筒３３を向く先端側は先端にゆくほど低くなる傾斜状に形成されており、その先端側の傾斜で各ピン３６，３７，３８，３９，４０を押し上げることが可能となっている。
【００３５】
即ちこの第一ロック解除部２０２は、施錠・解錠作動部２０１から起動命令の信号が入力された場合に、図１３に示すように、上記第一電気モータを起動させて回転ギヤ２０５を回転させ、回転ギヤ２０５の回転で解錠鍵部２０３を内筒３３内の鍵の進入路に進入させ、移動する解錠鍵部２０３の上辺の凹凸で各ピン３６，３７，３８，３９，４０をシャーライン４１が内筒３３と外筒３２との境目に一致する位置まで押し上げる。そして比較画像メモリ８４には図１３の状態をサンプリングした第四の比較画像情報の特徴量の情報もが記憶されており、解錠鍵部２０３が図１３の状態に至ると、センサ７１，７２が当該状態を撮影した画像情報を生成し、特徴抽出部８１，８２が当該画像情報の特徴量の情報を照合部８３へ出力し、この照合部８３で当該画像情報の特徴量の情報と比較画像メモリ８４に記憶されている第一乃至第四の比較画像情報の特徴量の情報とを順次に照合することになる。かくて一致判断部８５が当該画像情報の特徴量の情報と第四の比較画像情報の特徴量の情報とが一致したことを判断した場合、一致判断部８５から第二ロック解除部８７に対し起動命令の信号が出力されるものとなり、第二ロック解除部８７の起動で第二ロック手段としてのピン４３が内筒３３から退却し、本施錠装置を解錠することが可能となる。
【００３６】
次に、本実施の形態の使用の一例を説明すると、先ず例えば来客により例えば玄関ドア（本実施の形態の構成を備えるドア）から建物内部側に離れた位置においてリモコン等を操作して施錠を意図する遠隔操作信号をドアノブ１０２の化粧板１０３等に装着されている遠隔信号受信部１０１に向けて出力した場合、施錠・解錠作動部２０１が当該遠隔操作信号の内容が施錠を指示するものであることを識別し、玄関ドアと建物との間にロックを掛ける本施錠装置のロック機構（図示せず）の電動モータに対し当該ロック機構を施錠側に作動させる方向へ回転させる向きの電流を与え当該ロック機構を施錠するとともに、第二ロック手段としての電磁石４５への電流の供給を遮断しピン４３を内筒３３内に突出させ第二ロックをも施錠する。
【００３７】
一方、リモコン等を操作して解錠を意図する遠隔操作信号をドアノブ１０２の化粧板１０３等に装着されている遠隔信号受信部１０１に向けて出力した場合、施錠・解錠作動部２０１が当該遠隔操作信号の内容が解錠を指示するものであることを識別し、第一ロック解除部２０２に対し起動命令の信号を出力する。すると第一ロック解除部２０２の第一電気モータが起動して回転ギヤ２０５の回転で解錠鍵部２０３が内筒３３内へ進入し、各ピン３６，３７，３８，３９，４０をそのシャーライン４１を内筒３３と外筒３２との境目に一致させるべく押し上げる。しかる状態に至ると、一致判断手段としての構成、即ちセンサ７１，７２、特徴抽出部８１，８２、照合部８３、及び一致判断部８５の起動により解錠鍵部２０３が内筒３３内へ進入した状態を撮影して得られる画像情報の特徴量の情報と第四の比較画像情報の特徴量の情報とが一致することが判定されるため、一致判断部８５から第二ロック解除部８７に対し起動命令の信号が出力され、これによりピン４３が内筒３３外へと退却し第二ロックが解錠される。そして第一ロック解除部２０２の第二電気モータが起動して解錠鍵部２０３及び内筒３３が解錠の方向へと回動し、この回動で玄関ドアと建物との間にロックを掛ける本施錠装置のロック機構（図示せず）が解錠側に作動され当該ロック機構が解錠されると、第一ロック解除部２０２の第二電気モータ、及び第一電気モータが順次に逆方向に起動して解錠鍵部２０３が内筒３３の終点側よりも奥の領域における元の位置へ退却する。
【００３８】
次に、図１４乃至図１６を参照して本発明の第四の実施の形態を説明する。尚、本実施の形態は本発明をマグネットシリンダー錠に適用した場合を例示したものであって、基本的には上述の第一乃至第三の実施の形態で示した技術的思想と等しい構成を備えているものであり重複する説明は省略する。本実施の形態の場合、図１４及び図１５に示すように、正規の鍵３０１は、内筒３０３の鍵穴に挿入される部分の図示上下の側面に複数の円形状のマグネット３０４が埋め込まれており、図示左右の広面積側の側面には鍵３０１の特徴をあらわす菱形状の突起の模様３０５が構成されている。
【００３９】
本実施の形態の施錠装置は、例えばドアノブ内に構成されるものであり、外筒３０２内に回動可能である内筒３０３を装着し、外筒３０２内における垂直上下の双方の位置に各々コイルバネ３０６に接続される第一ロック手段としてのピン３０７，３０８，３０９，３１０，３１１を正規の鍵３０１の進入方向に所定間隔を経て直列に配列し、かつ垂直上下の双方の位置における各ピン３０７，３０８，３０９，３１０，３１１の先端側にマグネット（図示せず）を配設するとともに当該先端側を内筒３０３における正規の鍵３０１の進入路内へ突出させて構成されている。内筒３０３内に正規の鍵３０１が挿入されると、垂直上下の双方の位置における各ピン３０７，３０８，３０９，３１０，３１１は、正規の鍵３０１の図示上下の側面に埋め込まれたマグネット３０４に反発するか、引き寄せられることにより内筒３０３内への突出深さが変更される。尚、垂直上下の双方の各ピン３０７，３０８，３０９，３１０，３１１にもシャーライン３２０が構成されている。
【００４０】
また、内筒３０３の終端側の壁部３３１において室内側の側面には、第二ロック手段としてのＬ字状の回動突起３３２が回動軸３３３を支点に回動可能な状態で装着されている。施錠時には、回動突起３３２の先端が壁部３３１に装着された電磁石３３４の作動により壁部３３１に形成された開口３３５を通して内筒３０３内に進入し内筒３０３の回動を阻止するが、解錠時には、回動突起３３２が図示しないバネ力により回動軸３３３を支点に回動してその先端側を開口３３５及び内筒３０３から離れさせて内筒３０３の回動を可能にする。
【００４１】
一方、外筒３０２、及び内筒３０３には、図２に示した場合と同様に、正規の鍵３０１の進入路を観察可能にするための左右側方から互いに重なり得る開口（図示せず）が形成されており、外筒３０２の左右両側の当該開口の外側で当該開口の例えば中心付近には内筒３０３における開口を通して内筒３０３内の正規の鍵３０１の進入路の領域を外筒３０２の垂直上下の双方の各ピン３０７，３０８，３０９，３１０，３１１の突出端側とともに撮影するセンサ３７１，３７２が配設されている。センサ３７１，３７２には例えばＣＣＤカメラとともに光源を利用する場合を考えることができるが、赤外線カメラを用いても良い。
【００４２】
本実施の形態の場合、特徴抽出部（図示せず）は、センサ３７１，３７２から入力される画像情報を一時記憶し、例えば濃度、輝度、コントラスト等の変化点（エッジ）を抽出することにより画像情報の特徴量を抽出するが、本実施の形態の場合も、画像情報の特徴量は例えば垂直上下の双方の各ピン３０７，３０８，３０９，３１０，３１１の輪郭、及び、内筒３０３における正規の鍵３０１の進入路内に進入する物体（正規の鍵３０１を含む）の輪郭、更に当該物体（正規の鍵３０１を含む）の図示左右の側面（センサ３７１，３７２からは正面となる）の模様３０５を例えば変化する連続線として把握する。比較画像メモリ（図示せず）には、第一に内筒３０３における正規の鍵３０１の進入路に正規の鍵３０１も他の物体も何も挿入されていない状態を撮影して成る比較画像情報の特徴量の情報、第二に内筒３０３における正規の鍵３０１の進入路の進入限界位置まで正規の鍵３０１が挿入された状態を撮影して成る比較画像情報の特徴量の情報、第三に必要に応じて内筒３０３における正規の鍵３０１の進入路の進入限界位置までマスター鍵が挿入された状態を撮影して成る比較画像情報の特徴量の情報が記憶されている。
【００４３】
一方、一致判断部（図示せず）は、一致度の判定の結果、センサ３７１，３７２からの画像情報の特徴量の情報が上述の第二の比較画像情報の特徴量（正規の鍵３０１の挿入を含む画像情報の特徴量）の情報に一致すると判定した場合には、第二ロック解除部（図示せず）に対し起動命令の信号を出力し、これにより第二ロック解除部から内筒３０３の終点側の壁部３３１の電磁石３３４に対し電流を流させ、図１６に示すように、第二ロック手段としての回動突起３３２の先端を壁部３３１の開口３３５及び内筒３０３から退却させる。
【００４４】
本実施の形態の使用の一例については、第一乃至第三の実施の形態の使用例と基本的に同じであり、従って詳しい説明は省略する。
【００４５】
尚、第一乃至第四の実施の形態で説明した第二ロック手段の構成としては上述の構成に限定されるものではなく、他の種々の構成を採用しても良いことは勿論である。
【００４６】
次に、図１７及び図１８を参照して本発明の第五の実施の形態を説明する。尚、本実施の形態は基本的には上述の第一乃至第三、あるいは第四の実施の形態で示した技術的思想と等しい構成を備えているものであり重複する部分の説明は省略する。本実施の形態の場合、図１７及び図１８に示すように、室内側のドアノブ３１をドア自体に装着するためのドアノブ取り付け板４００におけるドアノブ３１の上方の位置には、番号「１」、「２」、「３」、…、「９」、「０」までの１０個の操作ボタン（もしくは１０個のタッチ検出部）を備える暗証番号入力手段４０１が備えられている。例えば図７に示す＊の操作ボタンをプッシュした後、番号「１」、「２」、「３」、…、「９」、「０」までの各操作ボタンのうち居住者の好みによる任意の操作ボタンを順次に４回プッシュすると、例えば４桁の暗証番号の登録が可能となる。然し、この登録を可能とするのはドアの本施錠装置が解錠状態にある場合のみとすることが好ましい。即ち本施錠装置が施錠状態にある場合は、例えば建物の窓から不法侵入した違法者による操作では暗証番号を変更することができないという構成のものである。
【００４７】
尚、暗証番号入力手段４０１に、正規の暗証番号の入力ミスを例えば３回程度ならば容認し、例えば４桁の不正番号の入力が例えば４回以上続くと例えば１時間程度は暗証番号の入力、及び解錠操作を全く受け付けないようにする構成を備えることも好ましい態様であり、しかも不正番号の入力が例えば４回以上続く場合には無線送信ユニット８６に対し異常通報の出力命令の信号を出力し、これにより建物の管理室のセキュリティ管理装置９７、あるいはセキュリティ管理会社のセキュリティ管理装置に異常通報の情報を出力させるという構成を備えることも好ましい態様である。
【００４８】
また例えばドアを室内側及び外界側から挟む一対のドアノブ取り付け板４００，４００の間には、暗証番号入力手段４０１に正規の暗証番号が入力された場合に、室内側のドアノブ３１にある施錠・解錠の操作部４０３の解錠側操作、並びに、ドアノブ３１の下方の位置におけるドアノブ取り付け板４００に構成された第二施錠装置（本施錠装置と同様の構成を備える）の施錠・解錠の操作部４０４の解錠側操作を可能ならしめ、正規の暗証番号以外の番号が入力された場合には当該解錠側操作を禁止した状態を継続する解錠操作禁止手段４０２が内蔵されている。解錠操作禁止手段４０２には、ドアと建物との間にロックを掛ける上記ロック機構の施錠側への作動位置にロックを掛けるロック部（図示せず）を制御する制御部（図示せず）が備えられており、ロック部は正規の暗証番号の入力で起動した制御部からの起動信号により起動して上記ロック機構との係合乃至嵌合の関係を解除する。尚、制御部は、本発明の一致判断手段（センサ７１，７２、特徴抽出部８１，８２、照合部８３、一致判断部８５等）が内筒３３の正規の鍵の進入路への正規の鍵の進入を判断した場合にも、ロック部に対し起動信号を出力して当該ロック部を解錠側へ作動させる。
【００４９】
一方、ロック部も、突起を電磁石の磁力で前後乃至上下の方向へ作動させ、上記ロック機構における所要の作動部分との係合乃至嵌合の関係を維持したり解除したりする構成、あるいは回動突起を電磁石の磁力で回動させ、同様に上記ロック機構における所要の作動部分との係合乃至嵌合の関係を維持したり解除したりする構成を考えることができる。然し、本発明の要旨はこの構成に限定されるものではなく、他の様々な構成を考えることができることは言うまでもない。
【００５０】
次に、本実施の形態の使用の一例を説明すると、先ず本施錠装置、及び第二施錠装置が解錠された状態の時に暗証番号入力手段４０１における「＊」の操作ボタンをプッシュした後、番号「１」、「２」、「３」、…、「９」、「０」の各操作ボタンのうち任意の操作ボタンを順次に４回プッシュして暗証番号を入力すると、暗証番号入力手段４０１内の図示しないメモリに当該暗証番号が記憶される。しかる状態の後、例えば居住者が外出することで、本施錠装置、及び第二施錠装置を施錠すると、暗証番号入力手段４０１の制御部が当該施錠を認識してロック部を施錠側に作動させるか、あるいはロック部におけるバネの作用でロック部を自発的に施錠側に作動させる。施錠後の本施錠装置、及び第二施錠装置を外界側からの正規の鍵５１、もしくは正規の鍵３０１で解錠させる場合には、画像一致を判断した一致判断部８５から制御部に対し起動信号が入力されることで、制御部がロック部を作動させ、当該ロック部をも解錠させる。これにより本施錠装置、及び第二施錠装置に備わる全てのロック系が解錠されてドアを開くことが可能となる。
【００５１】
また来客等により建物内の居住者が暗証番号入力手段４０１に正規の暗証番号を入力した場合、暗証番号入力手段４０１から解錠操作禁止手段４０２に対し起動信号が出力されるため、解錠操作禁止手段４０２の制御部が起動し、制御部からロック部に起動信号が出力され、ロック部がドアと建物との間にロックを掛けるロック機構との係合乃至嵌合の関係を解除し、これにより施錠・解錠の操作部４０３，４０４を解錠側に操作することが可能となる。しかる状態で施錠・解錠の操作部４０３，４０４を解錠側に操作すると、本施錠装置、及び第二施錠装置を解錠し、ドアを開くことができるようになる。
【００５２】
一方、建物の窓等から不法侵入した違法者が、玄関におけるドア（本施錠装置等を備える）から退出することを目論み、室内側のドアノブ３１の施錠・解錠の操作部４０３，４０４を解錠側に操作しようとした場合、双方ともに解錠側への操作が禁止されているから解錠することができない。然し、不法侵入の違法者が暗証番号入力手段４０１の操作で解錠できることに機転を働かせ、暗証番号入力手段４０１の番号１、２、３、…９、０の操作ボタンを順次にプッシュし、正規の暗証番号の入力を試行しても、正規の暗証番号と一致する番号を入力することは当然に不可能であり、解錠操作禁止手段４０２がロック部を起動させることはなく、従って施錠・解錠の操作部４０３，４０４を解錠側に操作することを禁止した状態が継続される。かくて不法侵入の違法者が例えば４桁の不正番号の入力を例えば４回以上繰り返した場合、暗証番号入力手段４０１は、例えば１時間程度は暗証番号の入力、及び解錠操作を全く受け付けない状態になるとともに、無線送信ユニット８６に対し異常通報の出力命令の信号を出力し、これによりアラーム出力部９５からアラームを出力させるとともに、建物の管理室のセキュリティ管理装置９７、あるいはセキュリティ管理会社のセキュリティ管理装置に異常通報の情報を出力させ、不法侵入の現場に建物管理者、あるいはセキュリティ管理会社の職員を向わせることができる。
【００５３】
次に、図１９を参照して本発明の第六の実施の形態を説明する。尚、本実施の形態は基本的には上述の第一乃至第三、あるいは第四の実施の形態で示した技術的思想と等しい構成を備えているものであり重複する部分の説明は省略する。本実施の形態の場合、例えば図１８に示すドアを室内側及び外界側から挟む一対のドアノブ取り付け板４００，４００の間に、室内側のドアノブ取り付け板４００に備えられた暗証番号入力手段４０１に正規の暗証番号が入力された場合に、ドアと建物との間にロックを掛けるロック機構を解錠側に作動させ、正規の暗証番号以外の例えば４桁の不正番号が入力された場合には当該ロック機構の施錠状態を継続するとともに施錠・解錠の操作部４０３，４０４の操作を禁止する一方、例えば４桁の不正番号が例えば４回以上入力された場合に無線送信ユニット８６に対し異常通報の出力命令の信号を出力する解錠動作実行手段５０１が内蔵されている。
【００５４】
即ち、解錠動作実行手段５０１は、第一に暗証番号入力手段４０１に正規の暗証番号が入力された場合に、施錠・解錠作動部２０１に含まれる上述の電動モータに対し当該ロック機構を解錠側に作動させる方向に回転させる向きの電流を与え当該ロック機構を解錠させる構成を備えるものであり、第二に正規の暗証番号以外の例えば４桁の不正番号が入力された場合にはドアと建物との間にロックを掛ける上記ロック機構の施錠側への作動位置にロックを掛けるロック部（図示せず）を制御する制御部（図示せず）を備えるものであり、第三に例えば４桁の不正番号が例えば４回以上入力された場合に例えば１時間等を計数するタイマを起動させ、１時間の計数が終了するまでの間は暗証番号入力手段４０１からの情報の入力を拒否、または無効にする構成を備えるものであり、第四に例えば４桁の不正番号が例えば４回以上入力された場合に無線送信ユニット８６に対し異常通報の出力命令の信号を出力する構成を備えるものである。
【００５５】
尚、本例のロック部も正規の暗証番号の入力で起動した制御部からの起動信号が入力された場合に起動して上記ロック機構との係合乃至嵌合の関係を解除するものであり、本例の制御部も本発明の一致判断手段（センサ７１，７２、特徴抽出部８１，８２、照合部８３、一致判断部８５等）が内筒３３の正規の鍵の進入路への正規の鍵の進入を判断した場合にも、ロック部に対し起動信号を出力して当該ロック部を解錠側へ作動させるものである。
【００５６】
本実施の形態の使用の一例で、暗証番号入力手段４０１に正規の暗証番号が入力された場合に関しては、解錠動作実行手段５０１から施錠・解錠作動部２０１に含まれる上述の電動モータに対し解錠側の向きの電流が与えられて上記ロック機構が解錠側に作動し、当該ロック機構に機構的に関係する上述の施錠・解錠の操作部４０３、４０４もが解錠側へ回動するものであり、従って自動的に本施錠装置、及び第二施錠装置を解錠しドアを開けることを可能にするものである。また本使用の一例の他の有り方に関しては、第五の実施の形態で説明した内容と基本的に等しいものであるから詳しい説明は省略することにする。
【００５７】
次に、図２０を参照して本発明の第七の実施の形態を説明する。尚、本実施の形態の場合も基本的には上述の第一乃至第三、あるいは第四の実施の形態で示した技術的思想と等しい構成を備えているものであり重複する部分の説明は省略する。本実施の形態の場合、図示しない遠隔操作手段に暗証番号入力手段、及び当該暗証番号入力手段に入力された番号に対応する無線番号信号を出力する無線番号信号出力手段を設け、内筒３３及び外筒３２を含む本施錠装置側に無線番号信号の内容を識別する番号信号識別手段６０１を設けるとともに、当該番号信号識別手段が正規の暗証番号の入力を識別した場合にドアと建物との間にロックを掛けるロック機構を解錠側に作動させ、正規の暗証番号以外の不正番号の入力を識別した場合には当該ロック機構の施錠状態を継続するとともに施錠・解錠の操作部４０３，４０４の操作を禁止する一方、例えば４桁の不正番号が例えば４回以上入力された場合に無線送信ユニット８６に対し異常通報の出力命令の信号を出力する解錠動作実行手段６０２を備えたことに特徴がある。
【００５８】
遠隔操作手段の暗証番号入力手段も、詳しく図示しないが番号「１」、「２」、「３」、…、「９」、「０」までの１０個の操作ボタン（もしくは１０個のタッチ検出部）が備えられており、番号「１」、「２」、「３」、…、「９」、「０」までの各操作ボタンが操作された場合に、無線番号信号出力手段から当該番号に対応する無線番号信号が出力される。本例の暗証番号入力手段にも暗証番号設定を可能にする特定の操作ボタンが設けられており、当該特定の操作ボタンをプッシュした後、番号「１」、「２」、「３」、…、「９」、「０」までの各操作ボタンのうち居住者の好みの操作ボタンをプッシュすると、例えば４桁の暗証番号としての無線番号信号が出力されるものであり、番号信号識別手段６０１のメモリに正規の暗証番号として登録される。この暗証番号の登録も本施錠装置、及び第二施錠装置が解錠状態にある時に限り可能となるものとする。
【００５９】
番号信号識別手段６０１は、遠隔操作手段からの無線番号信号が入力された場合に当該無線番号信号の内容を識別し、識別内容が正規の暗証番号であれば解錠動作実行手段６０２に対し本施錠装置、及び第二施錠装置を解錠させる旨の命令を出力し、不正番号であれば解錠動作実行手段６０２に対し異常処理の命令を出力し無線送信ユニット８６を起動させることを促すものである。
【００６０】
尚、本例においても、解錠動作実行手段６０２には、正規の暗証番号の入力で起動した制御部からの起動信号が入力された場合に上記ロック機構との係合乃至嵌合の関係を解除するロック部、並びに、本発明の一致判断手段（センサ７１，７２、特徴抽出部８１，８２、照合部８３、一致判断部８５等）が内筒３３の正規の鍵の進入路への正規の鍵の進入を判断した場合にロック部に対し起動信号を出力して当該ロック部を解錠側へ作動させる制御部が備えられるものである。
【００６１】
本実施の形態の使用の一例については、基本的に第六の実施の形態における使用の一例と等しいものであり、従って詳しい説明は省略することにする。
【００６２】
また、図中符号６０３は警報手段であり、この警報手段６０３によって例えば一致判断部８５等により異常通報の出力命令の信号が出力された場合に、周囲への警報及び不正侵入者等に対する排除促進を行うようにしてあり、例えば周囲に不法侵入が行われていることの警報音の発生、適宜に着色された警報煙の噴出、好ましくは悪臭を周囲に発散させる不快臭気の噴出、催涙性ガスの噴出等を行うものであり、そのための小型の貯留容器等が付設されている。尚、警報煙、不快臭気、催涙性ガス等は鍵穴３４から噴出させるようにするとよく、また、これらに殺虫成分を含有させることで鍵穴３４に侵入することがある害虫その他を殺傷、除去させるのに役立つものとできる。もとより、この警報手段６０３は上述した第一乃至第六の実施の形態においても同様に付設可能であるのは勿論であり、周囲に対する五感による注意を促すと共に不法侵入者に対して威嚇するようにしてある。
【００６３】
また更に、図２１を参照して本発明の第八の実施の形態を説明する。尚、本実施の形態の場合も基本的には上述の第一乃至第三、あるいは第四の実施の形態で示した技術的思想と等しい構成を備えているものであり重複する部分の説明、図示は省略する。本実施の形態の場合、例えば一致判断部８５等により異常通報の出力命令の信号が出力された場合に、例えば室内に設置されている室内灯６０７に対してそれを点滅させることでピッキング等による不法侵入行為等が行われていることを警報するようにしてある。すなわち、警報手段６０５からの出力は点滅警報制御部６０６を作動させ、室内に設置してある室内灯６０７を点滅させる制御信号を出力するものとしてあり、点滅警報制御部６０６は例えば室内灯６０７用の室内配線の適宜箇所に設けられている。室内灯６０７は室内に設置されている天井設置の主たる室内灯のものとすることはもとより、壁用、卓上用その他として補助的に設置されている補助照明灯を点滅対象としてもよいと共に、室内灯６０７は点灯中、消灯中のいずれの状態であっても点滅させるようにすることができる。場合によっては点滅作動と併用して、警報音の発生、警報用の臭気の噴出、更には適当なもの例えば縫いぐるみの如き抱き人形等の振動等を行うようにしてもよく、室外灯等の他の照明設備を点滅させるようにしてもよい。
【００６４】
尚、最近のマンションのドア等では、ノブの下方に別に鍵穴が設けられているタイプのものも普及しており、即ち例えばノブの下方位置におけるノブ取り付け板内にも鍵穴を有する内筒及び外筒を備えるタイプや、ノブの下方位置におけるドア自体にも鍵穴を有する内筒及び外筒を備えるタイプ等が好感されているが、本実施の形態の施錠装置はこうしたタイプにも対応し創案されたものである。
【００６５】
また、上記各実施の形態における異常通報の無線信号、遠隔操作信号、及び無線番号信号については電波信号を用いても良く、あるいは赤外線による信号を用いても良い。
【００６６】
また、図２２には、自動車における不正解錠によるエンジンの不正始動に際する警報及び不正始動の防止を可能にする第九の実施の形態が示されており、本実施の形態の場合も基本的には上述の第一乃至第三、あるいは第四の実施の形態で示した技術的思想と概略等しい構成を備えているものであるから、重複する部分の説明、図示は省略する。即ち自動車におけるエンジン始動錠６１０に付設され、不正解錠時にはエンジン始動回路を開成させるエンジン始動阻害手段６１２を備えるか、正規鍵（エンジンキー）による操作であることを認識する上記センサ７１，７２により出力される制御信号によってエンジン始動回路を閉成させるエンジン始動回路閉成手段６１３を備えるかする構成としてある。図２２（Ａ）にあっては、センサ７１，７２が不正鍵であることを認識したとき、警報手段６１１によって周囲への各種の警報、不正解錠者に対する排除をさせるようにすると同時に、エンジン始動阻害手段６１２を作動、例えばスターター回路、エンジンプラグ回路等を適宜に開成してこれらが作動されないようにしてエンジン始動を阻止するようにしてある。
【００６７】
そして、図２２（Ｂ）にあっては、エンジン始動錠６１０内に正規鍵が挿入されてそれによって操作されたとき、正規鍵であることを認識する上記のセンサ７１，７２が制御信号を出力し、その出力された制御信号によって作動されるエンジン始動回路閉成手段６１３を介してエンジン始動回路を閉成させるようにしてある。例えばエンジンキーのエンジン始動錠からの脱却によってエンジン始動回路を開成する一方、正規のエンジンキーのエンジン始動錠への挿入によってエンジン始動回路を閉成すべく、その切り替え乃至エンジン始動回路の開閉制御を行うものとしてある。尚、正規鍵の認識によるエンジン始動回路の開閉制御は、従来からの自動車に登載されているスタータ、プラグ等に対するエンジン制御回路に併設したり、その内部に組み込み可能にしたりすることで設けられるものである。特に、エンジン制御回路と併設すると共にセンサ７１，７２による正規鍵の認識時のみにエンジンを始動できるようにすることで、例えば窃盗実行者等が配線を切断し、それらを直接に再度、不正接続することによってもエンジンは始動されないから、盗難を確実に阻止することができる。
【００６８】
尚、自動車におけるドア錠にも付設可能であり、その不正解錠時には不正解錠であることを周囲に警告すると共に、その不正解錠を阻止できるようにさせることもできる。
【００６９】
【発明の効果】
本発明は以上のように構成されているために、内筒３３に正規の鍵とは異なる物体が挿入されても、センサ７１更には７２から得られる画像情報に乱れが生じると所要の比較画像情報との不一致が判定されてロック状態が維持されて解錠されず、ピッキングによる解錠を阻止することができるとともに、アラームが出力されるから周囲に注意を喚起させ、それによってピッキング現場に速やかに信頼できる人物を向わせるように手配させることもでき、また、本施錠装置は居住用の家屋、マンションその他の居住設備における出入り口、自動車におけるドアの施錠、エンジン始動錠にも使用できる等の汎用性あるものである。
【００７０】
即ちこれは本発明において、外筒３２及び内筒３３に、外方から内筒３３の鍵の挿入部分を観察可能にする開口６１，６３を設け、センサ７１で当該開口６１，６３から当該鍵の挿入部分を撮影して画像情報を生成し、一致判断手段８１，８３，８４，８５で当該画像情報と所要の比較画像情報との一致の有無を判断し、当該画像情報に正規の鍵の画像情報が含まれて所要の比較画像情報と一致すると判断した場合に第二ロック手段４３，４４，４５を解錠し、一致しないと判断した場合にアラーム手段８６，９３，９４，９５からアラームを出力させるように構成されて成るからであり、このアラームによってピッキングを行う違法者に対し周囲の注意を喚起するとともに、この違法者に自身の行為が周囲に露顕されることを認識させることができるため、ピッキング行為を即座に中断させることが実現される。
【００７１】
また、本発明にあっては、外筒３２及び内筒３３の左右両側の位置に外方から内筒３３の鍵の挿入部分を観察可能にする開口６１，６２，６３，６４を設け、かつ外筒３２側の左右の各開口６１，６２付近にセンサ７１，７２を設置し、二つのセンサ７１，７２で鍵の挿入部分を左右両側から撮影して二種の画像情報を生成し、双方の画像情報を所要の各比較画像情報と個別に一致するか否かを判断するという構成を備えて成るから、より正確に内筒３３に挿入される物体の画像情報と各比較画像情報との不一致を判断することができ、従って正規の鍵に似た鍵を用いてピッキングを行うとしても、速やかに、かつ確実にアラームを出力することができ、信頼性の高い施錠装置を提供することができる。
【００７２】
また、特許請求の範囲の請求項３において、遠隔操作信号の内容を識別し、施錠を指示する場合はドアと建物との間にロックを掛けるロック機構を施錠側に作動させるとともに第二ロック手段４３，４４，４５を施錠させ、解錠を指示する場合は当該ロック機構を解錠側に作動させるとともに第二ロック手段４３，４４，４５を解錠させる施錠・解錠作動手段２０１をも備えて成ることで、本施錠装置から離れた位置からでも本施錠装置を施錠・解錠することが容易にでき、従って足の不自由尚年寄りや身体障害者であってもドアの施錠・解錠に困難を伴うことがなく、例えば介護に関係する人が訪問する場合等においても建物内部における居住者の行動を気使う心配をなくすことが可能となる。
【００７３】
また、特許請求の範囲の請求項４において、遠隔操作信号が解錠を指示する信号である場合に第一ロック解除手段２０２が正規の鍵の主要部の構成に一致する構成を有する解錠鍵部２０３を正規の鍵の挿入方向とは逆の方向から内筒３３の鍵の挿入部分内へ進入させ、解錠鍵部２０３を含む画像情報と所要の比較画像情報とが一致する場合に第二ロック解除手段８７が第二ロック手段４３，４４，４５を解錠するという構成をも備えることで、本施錠装置から離れた位置からでも本施錠装置を施錠・解錠することが容易にでき、従って足の不自由尚年寄りや身体障害者であってもドアの施錠・解錠に困難を伴うことがなく、例えば介護に関係する人が訪問する場合等においても建物内部における居住者の行動を気遣う心配をなくすことが可能となる。
【００７４】
上記アラーム手段は、施錠機構側に構成された無線送信ユニット８６と、施錠機構とは別体のハウジング９１内に構成されて無線信号を受信する無線受信ユニット９３と、無線受信ユニット９３が無線信号を受信した場合にアラームを出力する上記ハウジング９１に構成されたアラーム出力部９５とを含んで構成される場合には、ハウジング９１の設置場所に自由度が広く、従ってハウジング９１とともにアラーム出力部９５の設置場所の自由度を広くすることが可能であり、一般に人の手の届かない場所に設置することも可能となる。このため、特にハウジング９１を建物外部側に設置する場合にピッキングを行う違法者によって破壊されてしまうということを防止することが可能となる。また、建物外部側にハウジング９１を設置する場合、ピッキングの常習犯はそのハウジング９１の存在を認識することでピッキングを断念せざるを得ないと判断し、場所を離れてゆくという効果が期待できるとともに、ピッキング中の違法者に遭遇して傷害事件に発展する場合を有効に回避することが可能となる。
【００７５】
上記無線送信ユニット８６と上記無線受信ユニット９３との各アンテナ８８，９２を建物内部側に設置し、上記無線受信ユニット８６側に有線（例えば建物の壁に開けた穴を通す有線）で接続される上記アラーム出力部９５を建物のドア付近における建物外部側に設置することで、ピッキングを行う違法者に破壊されてしまうことを有効に回避することができる。
【００７６】
上記アラーム手段８６，９３，９４，９５は、アラームを出力する場合に建物の管理室のセキュリティ管理装置９７、またはセキュリティ管理会社のセキュリティ管理装置に異常通報の情報を出力する構成をも備えることで、ピッキングが行われた場合に速やかに信頼できる人物を向わせることもできる。
【００７７】
上記アラーム手段８６，９３，９４，９５は、時間計数手段の起動で、上記センサ７１，７２からの画像情報と上記所要の比較画像情報との不一致が続く時間があらかじめ設定した所定時間に達しないことが判定される間はアラームを出力しないようにでき、こうすることで、例えば手の不自由な身体障害者や手に怪我を負っている人等が解錠に手間取ることがあったとしても、不要なアラームを出力してしまうことを回避することができる。
【００７８】
上記施錠装置の上記各手段８１，８２，８３，８４，８５，９３，９４，９５及び各ユニット８６，９３は、ソーラーバッテリ８９，９８からの電力で駆動するようにすることで、一層便利に使用できる。
【００７９】
上記施錠装置の上記各手段８１，８２，８３，８４，８５，９３，９４，９５及び各ユニット８６，９３は、電池からの電力で駆動させることもでき、この場合、周囲が暗い環境であったとしても使用することができる。
【００８０】
上記ソーラーバッテリ８９，９８または上記電池を、建物内部側におけるノブ３１、または当該ノブ３１付近に配設することによって、ピッキングを行う違法者に破壊されてしまうことを防止することができる。
【００８１】
また、特許請求の範囲の請求項１１において、暗証番号入力手段４０１に正規の暗証番号を入力すると、解錠操作禁止手段４０２の起動によりドアと建物との間にロックを掛けるロック機構の室内側からの解錠操作が可能となり、正規の暗証番号以外の不正番号を入力すると、解錠操作禁止手段４０２により当該解錠操作を禁止した状態が継続されるため、建物の窓等から不法侵入した違法者がドアから退出することを目論んでも正規の暗証番号を入力することは実質上不可能であり、従って本施錠装置を解錠することはできず、逃げることができないものとなり、盗難防止、防犯に有益である。
【００８２】
また一方、特許請求の範囲の請求項１２において、暗証番号入力手段４０１に正規の暗証番号を入力すると、解錠動作実行手段５０１の起動によりドアと建物との間にロックを掛けるロック機構を解錠側に作動させドアを開けられる状態となり、正規の暗証番号以外の不正番号を入力すると、解錠動作実行手段５０１により当該ロック機構の施錠状態が継続されるため、上述と同様に建物の窓等から不法侵入した違法者がドアから退出することを目論んでも正規の暗証番号を入力することは実質上不可能であり、本施錠装置を解錠することはできず、逃げることができないものとなり、盗難防止、防犯に有益である。
【００８３】
また一方、特許請求の範囲の請求項１３において、遠隔操作手段の暗証番号入力手段の操作で正規の暗証番号を入力すると、無線番号信号出力手段から正規の暗証番号を示す無線番号信号が出力されて、上記内筒３３及び外筒３２側の番号信号識別手段６０１に受信され、番号信号識別手段６０１が無線番号信号の内容を識別し、正規の暗証番号であれば解錠動作実行手段６０２によりドアと建物との間にロックを掛けるロック機構を解錠側に作動させ、正規の暗証番号以外の不正番号であれば解錠動作実行手段６０２により当該ロック機構の施錠状態を継続させるため、同じく建物の窓等から不法侵入した違法者がドアから退出することを目論んでも正規の暗証番号を入力することは実質上不可能であり、本施錠装置を解錠することはできず、逃げることができないものとなり、盗難防止、防犯に有益である。
【００８４】
上記暗証番号入力手段４０１または上記解除動作実行手段５０１，６０２は、正規の暗証番号以外の不正番号が続けて所定回数以上入力された場合には、所定時間の間、暗証番号の入力及び解錠操作を一切受け付けないようにすることができる。そうすると、正規の暗証番号に一致する番号を入力させてしまう可能性を完全になくしてしまうことができるとともに、不法侵入した違法者が正規の暗証番号を長い時間をかけて探っている間に居住者等が帰ってきて違法者を捕まえるという可能性も生じてくる。
【００８５】
上記暗証番号入力手段４０１または上記解除動作実行手段５０１，６０２は、正規の暗証番号以外の不正番号が続けて所定回数以上入力された場合に上記アラーム手段８６，９３，９４，９５を起動させるようにしておくことで、アラームを発し周囲に注意を喚起しつつ、これに伴い不法侵入の現場に信頼できる人物を向わせるように手配することができ、不法侵入の違法者を現行犯として捕らえることが可能となる。
【００８６】
更には警報手段６０３，６０５を設ける場合には、これによって警報音の発生、警報煙の噴出、臭気の噴出、催涙性ガスの噴出、照明設備の点滅等を制御作動させることで、居住者、周囲の者に対する五感による注意を喚起できるばかりでなく、不法侵入者に対して威嚇もして排除可能とする。
【００８７】
また、自動車におけるエンジン始動錠６１０に付設され、不正解錠時のエンジン始動阻害手段６１２によってエンジンを始動させないものとするか、正規鍵による操作であるときの制御信号によってエンジン始動を可能にさせるエンジン始動回路閉成手段６１３かによってエンジンを始動させるようにすることもできる。このように自動車エンジン始動錠６１０等に関連付設することによって、自動車の盗難等を極めて簡単、確実に防止できるのである。しかも、こうした不正解錠時のエンジン始動阻害手段６１２、正規鍵の挿入、回転等によるエンジン始動操作時のエンジン始動回路閉成手段６１３の付設は従来の自動車に大幅な改造を施すことなく行うことができる。そればかりでなく、エンジンの始動のためにエンジン制御回路における自動車室内、エンジン室内等の配線を切断し、切断した配線を直接に接続することでエンジンを始動しようとしても、これに併設されるエンジン始動阻害手段６１２あるいはエンジン始動回路閉成手段６１３等によってエンジンの始動を不可能にするから、自動車の盗難を極めて有効に防止できるのである。
【図面の簡単な説明】
【図１】本発明の第一の実施の形態の構成を説明するブロック図である。
【図２】第一の実施の形態の内筒及び外筒の正面視断面図である。
【図３】第一の実施の形態の内筒及び外筒の図２におけるＡ−Ａ線に沿う側面視断面図である。
【図４】第一の実施の形態のドアノブの外観を説明する側面視説明図である。
【図５】第一の実施の形態のドアノブの外観を説明する正面視説明図である。
【図６】第一の実施の形態のハウジングの外観を説明する正面視説明図である。
【図７】上記ハウジングの内部構成でありアラーム手段の構成を説明するブロック図である。
【図８】本発明の第二の実施の形態の構成を説明するブロック図である。
【図９】第二の実施の形態のドアノブの外観を説明する側面視説明図である。
【図１０】第二の実施の形態のドアノブの外観を説明する正面視説明図である。
【図１１】本発明の第三の実施の形態の構成を説明するブロック図である。
【図１２】第三の実施の形態の内筒、外筒及び解錠鍵部の動作前を説明する一部破断側面図である。
【図１３】第三の実施の形態の内筒、外筒及び解錠鍵部の動作後を説明する一部破断側面図である。
【図１４】本発明の第四の実施の形態に用いられる正規の鍵の構成を説明する斜視図である。
【図１５】第四の実施の形態の内筒、外筒及び正規の鍵の関係を説明する一部破断側面図である。
【図１６】第四の実施の形態の内筒、外筒及び正規の鍵の関係と第二ロック手段としてのＬ字状の回動突起の動作後を説明する一部破断側面図である。
【図１７】本発明の第五の実施の形態の構成を説明するブロック図である。
【図１８】第五の実施の形態における室内側のドアノブ周辺の構成を説明する正面視説明図である。
【図１９】本発明の第六の実施の形態の構成を説明するブロック図である。
【図２０】本発明の第七の実施の形態の構成を説明するブロック図である。
【図２１】本発明の第八の実施の形態の構成を説明する概略ブロック図である。
【図２２】その（Ａ）、（Ｂ）は共に本発明の第九の実施の形態の構成を説明する概略ブロック図である。
【図２３】従来の技術を説明する一部破断側面図である。
【符号の説明】
１…外筒                            ２…内筒
４…ピン                            ５…ピン
６…ピン                            ７…ピン
８…ピン                            ９…鍵
１０…シャーライン
２１…内筒の外表面                  ３１…ドアノブ
３２…外筒                          ３３…内筒
３４…鍵穴                          ３５…コイルバネ
３６…ピン                          ３７…ピン
３８…ピン                          ３９…ピン
４０…ピン                          ４１…シャーライン
４３…ピン                          ４４…コイルバネ
４５…電磁石                        ４９…化粧板
５１…正規の鍵                      ６１…開口
６２…開口                          ６３…開口
６４…開口                          ７１…センサ
７２…センサ                        ８１…特徴抽出部
８２…特徴抽出部                    ８３…照合部
８４…比較画像メモリ                ８５…一致判断部
８６…無線送信ユニット              ８７…第二ロック解除部
８８…アンテナ                      ８９…ソーラーバッテリ
９１…ハウジング                    ９２…アンテナ
９３…無線受信ユニット              ９４…受信判断部
９５…アラーム出力部                ９６…インターフェイス
９７…セキュリティ管理装置          ９８…ソーラーバッテリ
１０１…遠隔信号受信部              １０２…ドアノブ
１０３…化粧板                      １０４…施錠・解錠作動部
１０５…操作部                      ２０１…施錠・解錠作動部
２０２…第一ロック解除部            ２０３…解錠鍵部
２０４…ギヤ部                      ２０５…回転ギヤ
３０１…正規の鍵                    ３０２…外筒
３０３…内筒                        ３０４…マグネット
３０５…模様                        ３０６…コイルバネ
３０７…ピン                        ３０８…ピン
３０９…ピン                        ３１０…ピン
３１１…ピン                        ３２０…シャーライン
３３１…壁部                        ３３２…回動突起
３３３…回動軸                      ３３４…電磁石
３３５…開口                        ３７１…センサ
３７２…センサ                      ４００…ドアノブ取り付け板
４０１…暗証番号入力手段            ４０２…解錠操作禁止手段
４０３…施錠・解錠の操作部          ４０４…施錠・解錠の操作部
５０１…解錠動作実行手段            ６０１…番号信号識別手段
６０２…解錠動作実行手段            ６０３…警報手段
６０５…警報手段                    ６０６…点滅警報制御部
６０７…室内灯（照明設備）
６１０…エンジン始動錠              ６１１…警告手段
６１２…エンジン始動阻害手段        ６１３…エンジン始動回路閉成手段
【図１】
0003889955.tif 000002
【図２】
0003889955.tif 000003
【図３】
0003889955.tif 000004
【図４】
0003889955.tif 000005
【図５】
0003889955.tif 000006
【図６】
0003889955.tif 000007
【図７】
0003889955.tif 000008
【図８】
0003889955.tif 000009
【図９】
0003889955.tif 000010
【図１０】
0003889955.tif 000011
【図１１】
0003889955.tif 000012
【図１２】
0003889955.tif 000013
【図１３】
0003889955.tif 000014
【図１４】
0003889955.tif 000015
【図１５】
0003889955.tif 000016
【図１６】
0003889955.tif 000017
【図１７】
0003889955.tif 000018
【図１８】
0003889955.tif 000019
【図１９】
0003889955.tif 000020
【図２０】
0003889955.tif 000021
【図２１】
0003889955.tif 000022
【図２２】
0003889955.tif 000023
【図２３】
0003889955.tif 000024